【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）システムにおいて副搬送波をスケジュールする方法において、
割り当てられた副搬送波に対して信号対雑音比を決定することと、
受信機において受信された電力を決定することと、
現在割り当てられている副搬送波の数を決定することと、
少なくとも一部分前記信号対雑音比、前記合計受信電力、および前記現在割り当てられている副搬送波の数に基づいて割り当てられた副搬送波の数を調節することと、
を備えた方法。
【請求項２】
前記信号対雑音比を決定することは、
副搬送波帯域において受信電力を決定することと、
前記副搬送波周波数帯域に相当する副搬送波が割り当てられていない少なくとも１期間に前記副搬送波周波数帯域における雑音推定値を決定することと、
前記副搬送波周波数帯域対雑音推定値における前記受信電力の比を決定することと、
を備えた請求項１の方法。
【請求項３】
前記雑音推定値は前記副搬送波が局所的に割り当てられない少なくとも１期間に決定される、請求項２の方法。
【請求項４】
前記雑音推定値は前記副搬送波がシステムワイドに割り当てられない少なくとも１期間に決定される請求項２の方法。
【請求項５】
前記信号対雑音比は信号対ノイズフロアー比を含む、請求項１の方法。
【請求項６】
前記信号対雑音比は信号対干渉プラス雑音比を含む、請求項１の方法。
【請求項７】
前記信号対雑音比は、すべての現在割り当てられている副搬送波帯域に対する平均信号対雑音比を含む、請求項１の方法。
【請求項８】
前記調節することは、前記受信電力が最小受信電力未満であり、前記現在割り当てられている副搬送波の数が前記リンク内の副搬送波の最大数未満であり、前記信号対雑音比が前記所定の最大信号対雑音比より大きいなら、前記現在割り当てられた副搬送波の数をインクリメントすることを備えた、請求項１の方法。
【請求項９】
前記調節することは、前記受信電力が前記最大受信電力より大きく、現在割り当てられている副搬送波の数が１より大きく、前記信号対雑音比が前記所定の最小信号対雑音比未満なら前記現在割り当てられている副搬送波の数をデクリメントすることを備えた、請求項１の方法。
【請求項１０】
直交周波数分割多重（ＯＦＤＭ）システムにおいて副搬送波をスケジュールする方法において、
受信したＯＦＤＭ信号において割り当てられた副搬送波に対する信号対雑音比を決定することと、
前記信号対雑音比が所定のレンジ内にあるかどうか決定することと、
受信機における合計受信電力を決定することと、
現在割り当てられている副搬送波の数を決定することと、
少なくとも一部分前記信号対雑音比が前記所定のレンジ内にあるかどうか、前記合計受信電力、および現在割り当てられている副搬送波の数に基づいて端末から基地局への通信リンクのための副搬送波の数をスケジュールすることと、
を備えた方法。
【請求項１１】
前記副搬送波の数をスケジューリングすることは、前記合計受信電力が最小合計受信電力未満であり、前記現在割り当てられている副搬送波の数が副搬送波の最大数未満であり、前記信号対雑音比が所定の最大信号対雑音比より大きければ、前記現在割り当てられている副搬送波の数をインクリメントすることを備えた、請求項１１の方法。
【請求項１２】
前記副搬送波の数をスケジューリングすることは、前記合計受信電力が最大合計受信電力より大きく、前記現在割り当てられている副搬送波の数が１より大きく、前記信号対雑音比が所定の信号対雑音比未満であるなら、前記現在割り当てられている副搬送波の数をデクリメントすることを備えた、請求項１１の方法。
【請求項１３】
直交周波数分割多重（ＯＦＤＭ）システムにおいて副搬送波をスケジューリングするための装置において、
副搬送波周波数帯域において雑音レベルを推定するように構成された雑音推定器と、
前記雑音推定器に接続され、前記副搬送波周波数帯域における信号対雑音比および受信機における受信電力を決定するように構成された信号対雑音比決定モジュールと、
前記信号対雑音比決定モジュールに接続され、少なくとも一部分前記信号対雑音比が所定のレンジ内にあるかどうかおよび前記受信器における受信電力に基づいて副搬送波の数をスケジュールするように構成された副搬送波スケジューラーと、
を備えた装置。
【請求項１４】
前記信号対雑音比決定モジュールは信号対ノイズフロアー比を決定するように構成される、請求項１３の装置。
【請求項１５】
前記信号対雑音比決定モジュールは信号対雑音プラス干渉比を決定するように構成される、請求項１３の装置。
【請求項１６】
前記受信電力が最小受信電力未満であり、現在割り当てられている副搬送波の数が副搬送波の最大数未満であり、前記信号対雑音比が所定の最大信号対雑音比より大きければ、前記副搬送波スケジューラーは副搬送波の数をインクリメントする、請求項１３の装置。
【請求項１７】
合計受信電力が最大合計受信電力より大きく、現在割り当てられている副搬送波の数が１より大きく、前記信号対雑音比が所定の最小信号対雑音比未満であるなら、前記副搬送波スケジューラーは割り当てられた副搬送波の数をデクリメントする、請求項１３の装置。
【請求項１８】
直交周波数分割多重（ＯＦＤＭ）システムにおいて副搬送波をスケジュールするための装置において、
受信電力を決定するように構成された検出器と、
前記検出器と接続され、副搬送波周波数帯域内の信号対雑音比を決定し、少なくとも一部分前記信号対雑音比、前記受信電力および現在割り当てられている副搬送波の数に基づいて割り当てられた副搬送波の数を調節するように構成されたプロセッサーと、
を備えた装置。
【請求項１９】
前記受信電力が最小受信電力未満であり、前記現在割り当てられた副搬送波の数が副搬送波の最大数未満であり、前記信号対雑音比が所定の最大信号対雑音比より大きければ、前記プロセッサーは副搬送波の数をインクリメントするように構成される、請求項１８の装置。
【請求項２０】
前記プロセッサーは信号対ノイズフロアー比を決定するように構成される、請求項１８の装置。
【請求項２１】
前記プロセッサーは信号対雑音プラス干渉比を決定するように構成される、請求項１８の装置。
【請求項２２】
前記受信電力が最大受信電力より大きく、前記現在割り当てられている副搬送波の数が１より大きく、前記信号対雑音比が所定の最小信号対雑音比未満であるなら、前記プロセッサーはさらに割り当てられた副搬送波の数を決定するように構成される、請求項１８の装置。
【請求項２３】
直交周波数分割多重（ＯＦＤＭ）システムにおいて副搬送波の割り当てを決定するための装置において、
割り当てられた副搬送波のための信号対雑音比を決定する手段と、
受信機における受信電力を決定する手段と、
現在割り当てられている副搬送波の数を決定する手段と、
少なくとも一部分前記信号対雑音比、前記合計受信電力および現在割り当てられている副搬送波の数に基づいて割り当てられた副搬送波の数を調節する手段と、
を備えた装置。
【請求項２４】
前記信号対雑音比を決定する手段は、
副搬送波周波数帯域において受信電力を決定する手段と、
前記副搬送波周波数帯域に相当する副搬送波が割り当てられていない少なくとも１期間に前記副搬送波周波数帯域における雑音推定値を決定する手段と、
前記雑音推定値に対する前記副搬送波周波数帯域における前記受信電力の比を決定する手段と、
を備えた、請求項２３の装置。
【請求項２５】
前記雑音推定値を決定する手段は前記副搬送波が局所的に割り当てられていない少なくとも１期間に前記雑音推定値を決定する、請求項２４の装置。
【請求項２６】
前記雑音推定値を決定する手段は前記副搬送波がシステムワイドに割り当てられていない少なくとも１期間に前記雑音推定値を決定する、請求項２４の装置。
【請求項２７】
前記信号対雑音比は信号対ノイズフロアー比を含む、請求項２３の装置。
【請求項２８】
前記信号対雑音比は信号対干渉プラス雑音比を含む、請求項２３の装置。
【請求項２９】
前記信号対雑音比は、すべての現在割り当てられている副搬送波周波数帯域に対する平均信号対雑音比を含む、請求項２３の装置。
【請求項３０】
前記調節する手段は、前記受信電力が最小受信電力未満であり、前記現在割り当てられている副搬送波の数がリンク内の副搬送波の最大数未満であり、前記信号対雑音比が前記所定の最大信号対雑音比より大きいなら前記現在割り当てられている副搬送波の数をインクリメントする手段を備えた、請求項２３の装置。
【請求項３１】
前記調節する手段は、前記受信電力が前記最大受信電力より大きく、前記現在割り当てられている副搬送波の数が１より大きく、前記信号対雑音比が前記所定の最小信号対雑音比未満であるなら、前記現在割り当てられている副搬送波の数をデクリメントする手段を備えた、請求項２３の装置。